(57)【要約】      （修正有）【課題】小さく、コンパクトで、部品点数が少なく、製造し易く、組立て容易で、収納容易で、安定的で、バランス良く支持でき、アイアンを保護でき、構成簡素で、量産に適し、コストダウンでき、取扱い容易で、経済的なアイアンクラブセット用箱を提供する。【解決手段】箱本体Ａと蓋体Ｂと一対の支持体Ｃ、Ｄとを備え、一方の支持体Ｃは、支持部Ｃ１と仕切部Ｃ２とグリップ収容空間とを有し、他方の支持体Ｄは、支持部と仕切部Ｄ２と中蓋部Ｄ３とグリップ載置空間とを有し、下段のアイアンは、シャフトを支持溝２９に収容し、ヘッドを仕切片３１の区画空間に収容し、グリップ４３をグリップ収容空間に収容し、上段のアイアンは、シャフトを支持溝１１に収容し、ヘッドを仕切片１６の区画空間に収容し、グリップをグリップ載置空間に収容するよう構成する。【選択図】図１
0003107369.tif 000002
【実用新案登録請求の範囲】
【請求項１】
ゴルフクラブのアイアンセットを上下二段に収納して、展示したり、搬送したりできるようにした略細長直方体状の箱であって、上部が開放されている箱本体と、この箱本体の上部開放部分を施蓋可能な蓋体と、箱本体の一端がわと他端がわに夫々収容される一対の支持体とを備え、一方の支持体は、箱本体の幅員方向に沿って配される複数の支持溝を上部に有する支持部と、箱本体の幅員方向に沿って配される適数の仕切片を有する仕切部とからなり、支持部の下方にグリップ収容空間が設けられるように形成され、他方の支持体は、箱本体の幅員方向に沿って配される複数の支持溝を上部に有する支持部と、箱本体の幅員方向に沿って配される適数の仕切片を有する仕切部と、これら支持部及び仕切部の上方に設けられる中蓋部とからなり、中蓋部の上方で且つ支持部の上方部分にグリップ載置空間が設けられるように形成され、箱本体の下段に収容される複数のアイアンは、シャフトのヘッド寄り部分が、他方の支持体の複数の支持溝に収容され、ヘッドが、他方の支持体の仕切片で区画された空間に収容され、グリップが、一方の支持体のグリップ収容空間に収容され、箱本体の上段に収容される複数のアイアンは、シャフトのヘッド寄り部分が、一方の支持体の複数の支持溝に収容され、ヘッドが、一方の支持体の仕切片で区画された空間に収容され、グリップが、他方の支持体のグリップ載置空間に収容されるよう構成したことを特徴とするアイアンクラブセット用箱。
【請求項２】
一方の支持体の仕切部の仕切片上部に傾斜切欠部を設けて、箱本体の上段に収容される所定のアイアンのヘッドが載置できるように形成し、ヘッドのバックフェース或いはフェースが、箱本体の上部開放部分がわに臨むように配置できるよう構成したことを特徴とする請求項１記載のアイアンクラブセット用箱。
【請求項３】
一対の支持体夫々を一枚の板状部材から構成すると共に、一対の支持体夫々に差込突起を設け、この差込突起が差込み可能となる差込孔を箱本体に設け、一対の支持体夫々が箱本体の所定位置に装着できるように構成したことを特徴とする請求項１または請求項２記載のアイアンクラブセット用箱。
【考案の詳細な説明】
【技術分野】
【０００１】
本考案は、主に、ゴルフクラブに於けるアイアンのセット（例えば、６本組、７本組、９本組、１０本組）を整然と且つコンパクトに収納でき、更に、アイアンのバックフェース或いはフェースの形状が良く見えるように展示することも可能で、しかも、搬送用として使用できる箱に係り、搬送中にアイアンを損傷せしめたり、箱自身が損傷したりすることが無く、取扱いも容易なアイアンクラブセット用箱に関するものである。
【背景技術】
【０００２】
従来、この種のアイアンクラブセット用箱としては、例えば、特許文献１や特許文献２に示すようなものが本願出願人によって開示されており、特許文献１は、箱本体と、蓋体と、箱本体の一端がわと他端がわに夫々収容される一対の支持体と、複数の仕切り体と、箱本体の一端がわに収容される充填材とを備え、一対の支持体は、箱本体の幅員方向に沿って配される複数の支持溝を上部に有する支持体本体と、この支持体本体の底部に連設される固定板とからなり、箱本体の下段に収容される複数のアイアンは、シャフトのヘッド寄り部分が、箱本体の一端がわに収容した一方の支持体の複数の支持溝に収容され、ヘッドが一方の支持体の固定板に接触し、グリップが、箱本体の他端がわ底部に載置されるように配され、箱本体の上段に収容される複数のアイアンは、シャフトのヘッド寄り部分が、下段に収容される複数のアイアンのグリップの上に載置される他方の支持体の複数の支持溝に収容され、ヘッドが他方の支持体の固定板に接触し、グリップが、箱本体の一端がわに配される充填材に載置されるように配され、下段及び上段の隣設するヘッド相互間に仕切り片が配されるよう複数の仕切り体を配したものである。
【０００３】
【特許文献１】登録実用新案第３０４５７５６号
【特許文献２】登録実用新案第３０１３３９８号
【考案の開示】
【考案が解決しようとする課題】
【０００４】
そして、前述の如き従来の箱によって、アイアンのセットを上段と下段に夫々整然と収納でき、搬送中にアイアンを損傷せしめたり、箱自身が損傷したりする虞れのない箱を提供できるようになった。しかしながら、本願発明者は、これに満足することなく、より小さく、コンパクトに収納でき、部品点数が少なくて、製造し易く、組立て容易となり、アイアンを確実に保護でき、ヘッドのバックフェース或いはフェースの形状が良く見えるように展示することができ、コストダウン可能なアイアンクラブセット用箱を提供できるように研究開発を継続していたものである。
【課題を解決するための手段】
【０００５】
そこで、本考案は、前述の如き課題を達成すべく案出されたもので、請求項１記載のアイアンクラブセット用箱にあっては、ゴルフクラブのアイアン４０セットを上下二段に収納して、展示したり、搬送したりできるようにした略細長直方体状の箱であって、上部が開放されている箱本体Ａと、この箱本体Ａの上部開放部分を施蓋可能な蓋体Ｂと、箱本体Ａの一端がわと他端がわに夫々収容される一対の支持体Ｃ、Ｄとを備え、一方の支持体Ｃは、箱本体Ａの幅員方向に沿って配される複数の支持溝１１を上部に有する支持部Ｃ１と、箱本体Ａの幅員方向に沿って配される適数の仕切片１６を有する仕切部Ｃ２とからなり、支持部Ｃ１の下方にグリップ収容空間Ｃ３が設けられるように形成され、他方の支持体Ｄは、箱本体Ａの幅員方向に沿って配される複数の支持溝２９を上部に有する支持部Ｄ１と、箱本体Ａの幅員方向に沿って配される適数の仕切片３１を有する仕切部Ｄ２と、これら支持部Ｄ１及び仕切部Ｄ２の上方に設けられる中蓋部Ｄ３とからなり、中蓋部Ｄ３の上方で且つ支持部Ｄ１の上方部分にグリップ載置空間Ｄ４が設けられるように形成され、箱本体Ａの下段に収容される複数のアイアン４０は、シャフト４２のヘッド４１寄り部分が、他方の支持体Ｄの複数の支持溝２９に収容され、ヘッド４１が、他方の支持体Ｄの仕切片３１で区画された空間に収容され、グリップ４３が、一方の支持体Ｃのグリップ収容空間Ｃ３に収容され、箱本体Ａの上段に収容される複数のアイアン４０は、シャフト４２のヘッド４１寄り部分が、一方の支持体Ｃの複数の支持溝１１に収容され、ヘッド４１が、一方の支持体Ｃの仕切片１６で区画された空間に収容され、グリップ４３が、他方の支持体Ｄのグリップ載置空間Ｄ４に収容されるよう構成する手段を採用した。
【０００６】
また、請求項２記載のアイアンクラブセット用箱にあっては、一方の支持体Ｃの仕切部Ｃ２の仕切片１６上部に傾斜切欠部１７を設けて、箱本体Ａの上段に収容される所定のアイアン４０のヘッド４１が載置できるように形成し、ヘッド４１のバックフェース或いはフェースが、箱本体Ａの上部開放部分がわに臨むように配置できるよう構成する手段を採用した。
【０００７】
更に、請求項３記載のアイアンクラブセット用箱にあっては、一対の支持体Ｃ、Ｄ夫々を一枚の板状部材から構成すると共に、一対の支持体Ｃ、Ｄ夫々に差込突起２、２１を設け、この差込突起２、２１が差込み可能となる差込孔３、２２を箱本体Ａに設け、一対の支持体Ｃ、Ｄ夫々が箱本体Ａの所定位置に装着できるように構成する手段を採用した。
【考案の効果】
【０００８】
従って、請求項１記載のアイアンクラブセット用箱によれば、アイアン４０のセット（例えば、６本組、７本組、９本組、１０本組）をより小さく、コンパクトに収納でき、箱自体の部品点数が少なくて、製造し易く、組立て容易となる。
更に、アイアン４０の収納がより容易で、より安定的に且つバランス良く支持でき、搬送中にアイアン４０（特に、ヘッド４１）を損傷せしめたり、箱自身が損傷したりする虞れがなく、アイアン４０の保護がより確実な箱となる。
しかも、構成が簡素で、量産に適し、コストダウンが図れ、取扱いが容易で、経済的なアイアンクラブセット用箱となる。
【０００９】
特に、一方の支持体Ｃは、支持部Ｃ１の下方にグリップ収容空間Ｃ３が設けられるように形成され、他方の支持体Ｄは、中蓋部Ｄ３の上方で且つ支持部Ｄ１の上方部分にグリップ載置空間Ｄ４が設けられるように形成されるので、下段のアイアン４０のヘッド４１の上に、上段のアイアン４０のグリップ４３が位置せず、また、上段のアイアン４０のヘッド４１の下に、下段のアイアン４０のグリップ４３が位置しないこととなり、より高さの低いアイアンクラブセット用箱を構成できるようになる。
【００１０】
また、請求項２記載のアイアンクラブセット用箱によれば、ヘッド４１のバックフェース或いはフェースの形状が良く見えるように展示することができ、購買者が選択する際に重要なポイントの一つとなるアイアンクラブセットの特徴的部分を簡単に、確実に、且つ安定的に展示できるようになる。
【００１１】
更に、請求項３記載のアイアンクラブセット用箱によれば、一対の支持体Ｃ、Ｄの構成がより簡素となり、箱自体の部品点数を少なくできるようになる。しかも、一対の支持体Ｃ、Ｄを箱本体Ａに簡単に、確実に、且つ安定的に装着できるようになり、その組立てが容易となると共に、アイアン４０の収納作業がより簡単に且つ迅速に行え、取扱い易いものとなる。
【考案を実施するための最良の形態】
【００１２】
以下、本考案を図示例に基づいて説明すると、次の通りである。
本考案のアイアンクラブセット用箱は、ゴルフクラブのアイアン４０セット（例えば、６本組、７本組、９本組、１０本組）を整然と収納できて、更に、アイアン４０のバックフェース或いはフェースの形状が良く見えるように展示することも可能で、しかも、これらを安全に搬送（例えば、メーカーから小売店への搬送や、小売店から消費者への搬送等）するための紙製（例えば、段ボール製、その他の紙製、或いは、紙を含んだ複合素材等で構成される）の箱である。
【００１３】
そして、このアイアンクラブセット用箱は、具体的には、上部が開放されている略細長直方容器状の箱本体Ａと、この箱本体Ａを施蓋可能な下部が開放されている略細長直方容器状の蓋体Ｂと、箱本体Ａの長手方向一端がわと他端がわに夫々収容される一対の支持体Ｃ、Ｄとを備えたものである。
【００１４】
それから、箱本体Ａの長手方向一端がわに配される一方の支持体Ｃは、箱本体Ａの幅員方向に沿って配される複数（例えば、図示例では３つ）の支持溝１１を上部に有する支持部Ｃ１と、箱本体Ａの幅員方向に沿って配される適数（例えば、図示例では２つ）の仕切片１６を有する仕切部Ｃ２とからなる。しかも、支持部Ｃ１の下方には、グリップ収容空間Ｃ３が設けられるように形成されている。
【００１５】
また、箱本体Ａの長手方向他端がわに配される他方の支持体Ｄは、箱本体Ａの幅員方向に沿って配される複数（例えば、図示例では３つ）の支持溝２９を上部に有する支持部Ｄ１と、箱本体Ａの幅員方向に沿って配される適数（例えば、図示例では２つ）の仕切片３１を有する仕切部Ｄ２と、これら支持部Ｄ１及び仕切部Ｄ２の上方に設けられる中蓋部Ｄ３とからなる。しかも、中蓋部Ｄ３の上方で且つ支持部Ｄ１の上方部分には、グリップ載置空間Ｄ４が設けられるように形成されている。
【００１６】
そして、本考案のアイアンクラブセット用箱は、下段と上段に複数（例えば、図示例では６本）のアイアン４０が夫々収容されるように構成してあり、箱本体Ａの下段に収容される複数（例えば、図示例では３本）のアイアン４０は、そのヘッド４１が、箱本体Ａの他端がわに上向きに配され、シャフト４２のヘッド４１寄り部分が、箱本体Ａの他端がわに収容した他方の支持体Ｄの複数の支持溝２９に収容され、グリップ４３が、箱本体Ａの一端がわ底部に載置されると共に、一方の支持体Ｃのグリップ収容空間Ｃ３内に収まるように構成されている。
【００１７】
更に、箱本体Ａの上段に収容される複数（例えば、図示例では３本）のアイアン４０は、そのヘッド４１が、箱本体Ａの一端がわに下向きに配され、シャフト４２のヘッド４１寄り部分が、一方の支持体Ｃの複数の支持溝１１に収容され、グリップ４３が、箱本体Ａの他方の支持体Ｄの中蓋部Ｄ３に載置されると共に、グリップ載置空間Ｄ４に収まるように構成されている。
【実施例】
【００１８】
前記箱本体Ａは、例えば、収納されるアイアン４０の数や長さ等に応じてその寸法が設定され、その約半分のアイアン４０を下段に収納し、残りのアイアン４０を上段に収納できるような略細長直方容器状に形成されている。尚、箱本体Ａの具体的構成、形状、寸法等は適宜自由に設定でき、その材質も紙（例えば、段ボール）だけではなく、合成樹脂材等との複合材であっても良い。
【００１９】
前記蓋体Ｂは、例えば、箱本体Ａの寸法に応じてその寸法が設定され、箱本体Ａの上部開放部分を確実に施蓋できるような略細長直方容器状に形成されている。尚、蓋体Ｂの具体的構成、形状、寸法等は適宜自由に設定でき、その材質も紙（例えば、段ボール）だけではなく、合成樹脂材等との複合材であっても良い。
【００２０】
前記一方の支持体Ｃは、例えば、適宜形状の一枚の板状部材を適宜折曲形成して構成されるもので、箱本体Ａの一端がわ底部に載置されるように装着される取付板１と、この取付板１の他端縁に折目線を介して連設される立上板５と、この立上板５の上端縁に折目線を介して連設される傾斜片６と、この傾斜片６の下端縁に折目線を介して連設される底部片７と、この底部片７の一端縁に折目線を介して連設される鉛直片８と、取付板１の一端縁に折目線を介して連設される立上片１５と、この立上片１５の左右側縁に折目線を介して連設される複数の仕切片１６とによって構成されている。尚、支持体Ｃの具体的構成、形状、寸法等は適宜自由に設定でき、その材質も紙（例えば、段ボール）だけではなく、合成樹脂材等との複合材であっても良い。
【００２１】
そして、前記支持部Ｃ１は、立上板５と、傾斜片６と、底部片７と、鉛直片８とによって構成され、傾斜片６と底部片７と鉛直片８とが略横向き三角筒状に折曲形成されている。尚、この傾斜片６と底部片７と鉛直片８は、例えば、その強度、剛性を増すために、二重に或いは三重に巻回するように構成したものであっても良い。
尚、図中９は、立上板５に設けた差込片で、この差込片９は、鉛直片８に設けた差込孔１０に差込み自在となり、傾斜片６と底部片７と鉛直片８とで構成される略横向き三角筒状の状態を安定的に維持できるようにしたものである。
更に、複数の支持溝１１は、略Ｕ字状に形成され、傾斜片６と鉛直片８の上部に跨るように切設されて、シャフト４２を安定的に支持できるように形成されている。
【００２２】
前記仕切部Ｃ２は、取付板１と、立上片１５と、仕切片１６とによって構成されている。そして、取付板１には、左右側縁に差込突起２が夫々突設され、この差込突起２が、箱本体Ａの左右側壁底部に夫々設けた差込孔３に差込み自在となるように構成されている。
【００２３】
加えて、仕切片１６夫々の上部には、適宜傾斜切欠部１７が設けてあり、箱本体Ａの上段に収容される所定のアイアン４０のヘッド４１が安定的に載置できるように形成してある。すなわち、ヘッド４１のバックフェース或いはフェースが、箱本体Ａの上部開放部分がわに臨むように配置できるよう構成されている。
【００２４】
前記グリップ収容空間Ｃ３は、立上板５の下部と底部片７とで囲まれるようにして構成されており、下段のアイアン４０のグリップ４３が無理なく収容できるように構成されている。
【００２５】
前記他方の支持体Ｄは、例えば、適宜形状の一枚の板状部材を適宜折曲形成して構成されるもので、箱本体Ａの他端がわ底部に載置されるように装着される取付板２０と、この取付板２０の一端縁に折目線を介して連設される立上片２５と、この立上片２５の上端縁に折目線を介して連設される傾斜片２６と、この傾斜片２６の下端縁に折目線を介して連設される底部片２７と、取付板２０の他端縁に折目線を介して連設される立上片３０と、この立上片３０の左右側縁に折目線を介して連設される複数の仕切片３１と、立上片３０の上端縁に折目線を介して連設される上片３５と、この上片３５の一端縁に折目線を介して連設される鉛直片３６と、この鉛直片３６の下端縁に折目線を介して連設される載置片３７と、この載置片３７の左右側縁に折目線を介して夫々連設される側片３８とによって構成されている。尚、支持体Ｄの具体的構成、形状、寸法等は適宜自由に設定でき、その材質も紙（例えば、段ボール）だけではなく、合成樹脂材等との複合材であっても良い。
【００２６】
そして、前記支持部Ｄ１は、立上片２５と、傾斜片２６と、底部片２７とによって略横向き三角筒状に折曲形成して構成されている。尚、この立上片２５と傾斜片２６と底部片２７は、例えば、その強度、剛性を増すために、二重に或いは三重に巻回するように構成したものであっても良い。
更に、複数の支持溝２９は、略Ｕ字状に形成され、立上片２５と傾斜片２６に跨るように切設されて、シャフト４２を安定的に支持できるように形成されている。
尚、図中２８は、底部片２７等に設けた複数の係止突片で、この係止突片２８は、支持溝２９夫々に係止自在となり、立上片２５と傾斜片２６と底部片２７とで構成される略横向き三角筒状の状態をより安定的に維持できるようにしたものである。
【００２７】
前記仕切部Ｄ２は、例えば、取付板２０と、立上片３０と、仕切片３１とによって構成されている。そして、取付板２０には、左右側縁に差込突起２１が夫々突設され、この差込突起２１が、箱本体Ａの左右側壁底部に夫々設けた差込孔２２に差込み自在となるように構成されている。
【００２８】
前記中蓋部Ｄ３は、例えば、上片３５と、鉛直片３６と、載置片３７と、側片３８とによって構成されており、上片３５は、仕切片３１の上端縁に載置されるように構成され、鉛直片３６は、仕切片３１の一端縁に当接するように構成され、側片３８は、その下端縁が箱本体Ａの底板に当接するように構成されており、上段のアイアン４０のグリップ４３を確実に且つ安定的に支持できるように形成されている。
【００２９】
前記グリップ載置空間Ｄ４は、載置片３７と鉛直片３６とで囲まれるように構成され、上段のアイアン４０のグリップ４３が安定的に収容できるように構成されている。
【００３０】
ところで、アイアンクラブセット用箱の具体的構成、形状、寸法、材質、収納するアイアン４０の数、箱本体Ａの具体的構成、形状、寸法、材質、蓋体Ｂの具体的構成、形状、寸法、材質、支持体Ｃの具体的構成、形状、寸法、材質、配設位置、支持体Ｄの具体的構成、形状、寸法、材質、配設位置、取付板１の具体的構成、形状、寸法、材質、差込突起２の具体的構成、形状、寸法、配設位置、数、差込孔３の具体的構成、形状、寸法、配設位置、数、立上板５の具体的構成、形状、寸法、材質、傾斜片６の具体的構成、形状、寸法、材質、数、底部片７の具体的構成、形状、寸法、材質、数、鉛直片８の具体的構成、形状、寸法、材質、数、差込片９の具体的構成、形状、寸法、配設位置、差込孔１０の具体的構成、形状、寸法、配設位置、支持溝１１の具体的構成、形状、寸法、配設位置、数、立上片１５の具体的構成、形状、寸法、材質、配設位置、仕切片１６の具体的構成、形状、寸法、材質、配設位置、数、傾斜切欠部１７の具体的構成、形状、寸法、配設位置、取付板２０の具体的構成、形状、寸法、材質、差込突起２１の具体的構成、形状、寸法、配設位置、数、差込孔２２の具体的構成、形状、寸法、配設位置、数、立上片２５の具体的構成、形状、寸法、材質、傾斜片２６の具体的構成、形状、寸法、材質、数、底部片２７の具体的構成、形状、寸法、材質、数、係止突片２８の具体的構成、形状、寸法、材質、数、支持溝２９の具体的構成、形状、寸法、配設位置、数、立上片３０の具体的構成、形状、寸法、材質、配設位置、仕切片３１の具体的構成、形状、寸法、材質、配設位置、数、上片３５の具体的構成、形状、寸法、材質、鉛直片３６の具体的構成、形状、寸法、材質、載置片３７の具体的構成、形状、寸法、材質、側片３８の具体的構成、形状、寸法、材質等は、図示例のもの等に限定されることなく適宜自由に設定、変更できるものである。
【００３１】
本考案のアイアンクラブセット用箱は、前述の如く構成されており、次に、その使用例について説明すると、先ず、箱本体Ａの他端がわに他方の支持体Ｄを差込突起２１と差込孔２２を介して装着すると共に、箱本体Ａの一端がわに一方の支持体Ｃを差込突起２と差込孔３を介して装着する。
そして、複数（例えば、３本）のアイアン４０を箱本体Ａの下段にセットする。このとき、ヘッド４１を上向きにしてグリップ４３を一方の支持体Ｃのグリップ収容空間Ｃ３に収納するようにしてから、シャフト４２を他方の支持体Ｄの支持溝２９で支持して、ヘッド４１を仕切片３１で仕切られた空間に収容する。
それから、中蓋部Ｄ３を支持部Ｄ１と仕切部Ｄ２の上にセットし、複数（例えば、３本）のアイアン４０を箱本体Ａの上段にセットする。このとき、ヘッド４１を下向きにしてグリップ４３を他方の支持体Ｄのグリップ載置空間Ｄ４に載置すると共に、シャフト４２を一方の支持体Ｃの支持溝１１で支持して、ヘッド４１を仕切片１６で仕切られた空間に収容する。
尚、展示販売する時は、箱本体Ａの上段に収容される所定（幅員方向端部）のアイアン４０のヘッド４１を、仕切片１６上部に設けた傾斜切欠部１７に載置させて、ヘッド４１のバックフェース或いはフェースが、箱本体Ａの上部開放部分がわに臨むように配置しておく。
【図面の簡単な説明】
【００３２】
【図１】本考案のアイアンクラブセット用箱を例示する分解斜視図である。
【図２】本考案のアイアンクラブセット用箱の下段にアイアンを収納した状態を例示する一部省略平面図である。
【図３】本考案のアイアンクラブセット用箱の上段にアイアンを収納した状態を例示する一部省略平面図である。
【図４】本考案のアイアンクラブセット用箱を例示する部分縦断正面図である。
【図５】本考案のアイアンクラブセット用箱を例示する部分縦断正面図である。
【図６】本考案のアイアンクラブセット用箱にアイアンを収納した状態を例示する縦断側面図である。
【符号の説明】
【００３３】
Ａ    箱本体          Ｂ    蓋体
Ｃ    支持体          Ｃ１  支持部
Ｃ２  仕切部          Ｃ３  グリップ収容空間
Ｄ    支持体          Ｄ１  支持部
Ｄ２  仕切部          Ｄ３  中蓋部
Ｄ４  グリップ載置空間
１    取付板          ２    差込突起
３    差込孔
５    立上板          ６    傾斜片
７    底部片          ８    鉛直片
９    差込片          １０  差込孔
１１  支持溝
１５  立上片          １６  仕切片
１７  傾斜切欠部
２０  取付板          ２１  差込突起
２２  差込孔
２５  立上片          ２６  傾斜片
２７  底部片          ２８  係止突片
２９  支持溝
３０  立上片          ３１  仕切片
３５  上片            ３６  鉛直片
３７  載置片          ３８  側片
４０  アイアン        ４１  ヘッド
４２  シャフト        ４３  グリップ
【図１】
0003107369.tif 000003
【図２】
0003107369.tif 000004
【図３】
0003107369.tif 000005
【図４】
0003107369.tif 000006
【図５】
0003107369.tif 000007
【図６】
0003107369.tif 000008